Podtech/llm-jp-corpus-v4-ja_patent huggingface dataset:
(57)【要約】    【課題】  保護粘膜貼りが物体の表面を保護する効果が向上される保護粘膜貼り補助ツール構造を提供する。【解決手段】本考案に係わる保護粘膜貼り補助ツール構造は、へらと固定条からなり、へらは、硬質の板体であり、当該板体の側端には、予めに、物体に貼りつけられた保護粘膜貼りをロールするか圧すためのこすり板が設けられ、それにより、保護粘膜貼りが整然に物体の表面に貼りつけられ、気泡の生成を防止し、固定条は、作業する時保護粘膜貼りを固定するための硬質の柱体であり、へらの上縁部に固定設置される。【選択図】図１
0003111986.tif 000002
【実用新案登録請求の範囲】
【請求項１】
へらと固定条からなり、
へらは、板体であり、当該板体の側端には、予めに、物体に貼りつけられた保護粘膜貼りをロールするか圧すためのこすり板が設けられ、それにより、保護粘膜貼りが整然に物体の表面に貼りつけられ、気泡の生成を防止し、
固定条は、作業する時保護粘膜貼りを支持するための硬質の柱体であり、へらの上縁部に固定設置され、
へらの固定条が設けられる面を上へ向いて、そして、保護粘膜貼りを、へらの側面から、固定条の下端を通し、保護粘膜貼りは、こすり板を回って物体の表面に平らに貼られ、気泡の生成を防止できる、
ことを特徴とする、保護粘膜貼り補助ツール構造。
【請求項２】
固定条は、矩形や三角形或いは円形の柱体である保護粘膜貼りを支持する効果があるものである、ことを特徴とする、請求項１に記載の保護粘膜貼り補助ツール構造。
【請求項３】
こすり板の代わりに、保護粘膜貼りを整然に物体の表面に貼りつけ、気泡の生成を防止できる円形ローラレバーを使用する、ことを特徴とする、請求項１に記載の保護粘膜貼り補助ツール構造。
【考案の詳細な説明】
【技術分野】
【０００１】
本考案は、保護粘膜貼り補助ツール構造に関し、予めにへらに設置されるこすり板により、保護粘膜貼りが整然に物体の表面に貼り付けられ、保護膜内に、気泡の生成を防止して、保護粘膜貼りが物体の表面を保護する効果が向上されるものに関する。
【背景技術】
【０００２】
従来の保護粘膜貼りは、貼り付ける時、ツールを利用して（例えば、直尺や平板等）作業することにより、物体の表面に貼り付けられるが、使用するツールの適合性が悪いため、使用する過程において、保護粘膜貼りに傷つけることが多く、そして、貼りつける過程において、気泡の発生などにより、機能の劣化を来し、ユーザーにとって、迷惑なことになる。
【０００３】
本考案者は、上記の欠点を至急に解決しなければならないと思って、相関製品の製造生産の多年経験といつもの優れた設計理念を基づいて、上記の欠点について研究開発し、そして、多方面から設計を検討して、そして、実際に作業試験と、何度もの修正による改良を介して、ユーザーにとって、簡単に作業でき、確実に効果を実現できる、本考案である保護粘膜貼り補助ツール構造を提案する。
【考案の開示】
【考案が解決しようとする課題】
【０００４】
本考案の目的は、保護粘膜貼りが物体の表面を保護する効果が向上される保護粘膜貼り補助ツール構造を提供する。
【課題を解決するための手段】
【０００５】
本考案に係わる保護粘膜貼り補助ツール構造は、図１のように、由へら（１）と固定条（２）からなり、
へら（１）は、硬質の板体（１１）であり、当該板体（１１）の側端には、予めに、物体に貼りつけられた保護粘膜貼り（３）をロールするか圧するためのこすり板（１２）が設けられ、それにより、保護粘膜貼り（３）が整然に物体の表面に貼りつけられ、気泡の生成を防止し、
固定条（２）は、作業する時保護粘膜貼りを支持するための硬質の柱体（２１）であり、へら（１）の上縁部に固定設置される。
【考案を実施するための最良の形態】
【０００６】
本考案に係わる保護粘膜貼り補助ツールによれば、図２のように、使用する時、まず、へら（１）の固定条（２）が設けられる面を上へ向いて、そして、保護粘膜貼りを、へら（１）の左側から、固定条（２）の下端を通し、保護粘膜貼り（３）は、こすり板（１２）を回って物体の表面に平らに貼られ、そして、フィルム（３１）を、へら（１）の右側へ水平に引っ張って切り取ることにより、保護粘膜貼り（３）が少しずつフィルム（３１）と分離し、同時に、へら（１）を水平に押し、こすり板（１２）が保護粘膜貼り（３）をロールするか圧することになり（図３のように）、そのため、気泡の生成を防止でき、保護粘膜貼り（３）がより整然に物体の表面上に貼りつけられ、また、作業する過程において、保護粘膜貼りに傷つかず、保護粘膜貼り補助ツールとして、実用的なものであり、また、固定条（２）の代わりに、円形レバー（２１Ａ）やスリーブ（２１Ｂ）を使用し、そして、こすり板（１２）の代わりにローラ（１２Ａ）を使用すること（図４、５のように）も、保護粘膜貼り（３）が整然に物体の表面に貼りつけられ、作業する過程において、保護粘膜貼りに傷つかず、保護粘膜貼り補助ツールとしての効果が得られる。
【０００７】
本考案に係わる保護粘膜貼り補助ツールの構造の改良は、同分野に今まで見られていない新鋭性や、保護粘膜貼り補助ツールとしての実用性があるし、そして、いかなる刊行物にも披露されることがないため、実用新案登録の要件を満たす保護粘膜貼り補助ツールの改良である。
【０００８】
以上の説明は、ただ、本考案のより良い実施例であり、本考案の明細書や請求の範囲に従って、様々の等価変更や修正は、全てが、本考案の請求の範囲に含まれる。
【図面の簡単な説明】
【０００９】
【図１】本考案の立体図
【図２】本考案の作動概念図
【図３】本考案の作動の拡大概念図
【図４】本考案の実施例（１）の概念図
【図５】本考案の実施例（２）の概念図
【符号の説明】
【００１０】
１      へら            １１        板体
１２    こすり板        １２Ａ      ローラ
２      固定条          ２１        柱体
２１Ａ  円形レバー      ２１Ｂ      スリーブ
３      保護粘膜貼り    ３１        フィルム
【図１】
0003111986.tif 000003
【図２】
0003111986.tif 000004
【図３】
0003111986.tif 000005
【図４】
0003111986.tif 000006
【図５】
0003111986.tif 000007
(57)【要約】【課題】  中央に装着用透孔１を設けた円形基板２の外周側表裏面及び外周端面にダイヤモンド砥粒を電着して形成した研削研磨部３を備えたダイヤモンドカッターにおいて、樹脂部材の効率的切断を実現する。【解決手段】  外周端縁を略小半円突部４（突部の幅が７〜１１ｍｍで、突出長が１〜３ｍｍ）の連続波型形状に形成してなる。【選択図】図１
0003111998.tif 000002
【実用新案登録請求の範囲】
【請求項１】
中央に装着用透孔を設けた円形基板の外周側表裏面及び外周端面にダイヤモンド砥粒を電着させて形成した研削研磨部を備えたダイヤモンドカッターにおいて、外周端縁を略小半円突部の連続波型形状に形成してなることを特徴とするダイヤモンドカッター。
【請求項２】
突部の幅が７〜１１ｍｍで、突出長が１〜３ｍｍである請求項１記載のダイヤモンドカッター。
【考案の詳細な説明】
【技術分野】
【０００１】
本考案は、石材、タイル、コンクリートなどの切断に使用する他、樹脂カッターとしても最適に使用できるダイヤモンドカッターに関するものである。
【背景技術】
【０００２】
ダイヤモンドカッターは、中央に装着用透孔を設けた円形基板の外周にダイヤモンド砥粒を含む切削部を形成したもので、ダイヤモンド砥粒と合金粉末を混合して焼成し、チップとして円形基板の外周に配置して切削部としたものや、円形基板の外周部分の表裏及び端面にダイヤモンド砥粒層を形成して切削部としたもの等が知られている。
【０００３】
またカッターの外周には、冷却用の放射状の切り込みを設けている他、特に特許文献１には、石材用として外周に切欠凹部を設ける構造が開示されている。また特許文献２には、鋼板切断用として、外周縁に全く凹凸が形成されていないカッターが示されている。
【０００４】
【特許文献１】特開平９−２９５３９号公報。
【特許文献２】特開平１０−２０２５３８号公報。
【考案の開示】
【考案が解決しようとする課題】
【０００５】
ところでダイヤモンドカッターは、石材やコンクリートの他、水道工事等に多用されている塩ビ管の切断などにも使用している。然し石材やコンクリート等と比較すると柔らかい材質である樹脂切断に、従前のカッターを使用した場合に必ずしも効率的な切断がなされるものではない。
【０００６】
例えば凹凸のない外周縁のカッターは、切断時に切断用端面全周に切粉が連続的に接触した状態で切断作用が継続するので、切断用端面全周においてダイヤモンド砥粒面の目詰まりが生じやすい。また石材用カッターのように凹部を形成して凹部の角部で切断を行うことによって切断効率を高めたカッターでは、当該角部において指や手等に怪我をする虞がある。
【０００７】
そこで本発明は、切断対象が樹脂板・樹脂管であっても効率的な切断がなされ、且つ安全に使用できるダイヤモンドカッターを提案したものである。
【課題を解決するための手段】
【０００８】
本考案に係るダイヤモンドカッターは、中央に装着用透孔を設けた円形基板の外周側表裏面及び外周端面にダイヤモンド砥粒を電着して形成した研削研磨部を備えたダイヤモンドカッターにおいて、外周端縁を略小半円突部の連続波型形状に形成してなることを特徴とするものである。
【考案の効果】
【０００９】
本考案は上記構成を採用したことによって、樹脂部材の切断に使用しても、切粉が波型の凹所で運ばれて排出されることになり、目詰まりが生じ難く、また波型突部によって切段効率が高められると共に、角部分が存在しないので、安全に使用できるものである。
【考案を実施するための最良の形態】
【００１０】
次に本考案の実施形態について説明する。図１はダイヤモンドカッターの直径が１００ｍｍの製品の場合を示したものである。
【００１１】
このダイヤモンドカッターは、中央に所定の大きさの装着用透孔１を設けた円形基板２の表裏面並びに外周端面に、ダイヤモンド砥粒を電着させて切削部（研削研磨部）３を形成したもので、特に基板２の形状を、その外周において、外周端縁を略小半円突部４の連続波型形状に形成したものである。
【００１２】
前記の突部４の具体的寸法は、直径１００ｍｍ規格品の図示例では、全周を３６分割（１０度幅）し、突部４の先端と隣接突部の境界部分となる凹所との直径方向の距離（突部の突出長）を２ｍｍとしたものである。勿論前記の寸法に限定されるものではないが、ダイヤモンドカッターの大きさの規格に関らず、突部の幅が７〜１１ｍｍで、突出長が１〜３ｍｍの範囲内であれば、本考案の目的である樹脂用カッターとしての使用に充分である。
【００１３】
従って上記実施形態のダイヤモンドカッターは、樹脂部材の切断加工に際して、突部４で樹脂部材を抉るように切断するので、平滑面（基板外周の円形縁）を備えた従前のカッターよりも作業効率が向上し、また外周面を刃状に形成している石材用カッターに比較して安全に使用できるものである。勿論樹脂部材の切断加工以外にも従前のダイヤモンドカッターと同様に使用できるものである。
【００１４】
更に突部における回転方向側がその使用によって磨耗した場合には、ダイヤモンドカッターを裏返して回転工具に装着すると、磨耗のない突部縁での切断ができ、円形カッターに比較して、良好な切れ味を長期間維持できることになる。
【図面の簡単な説明】
【００１５】
【図１】本考案の実施形態の正面図。
【符号の説明】
【００１６】
１        装着用透孔
２        円形基板
３        切削部
４        突部
【図１】
0003111998.tif 000003
(57)【要約】【課題】一般の市場で容易に入手できる食材の唐辛子の持つカプサイシンの殺菌性、防腐食性を発揮することができ、しかも、ピリッと甘辛い大人風味を味わうことができる稲荷寿司を提供する。【解決手段】昆布・鰹節・椎茸・日本酒・砂糖・化学調味料などの出し汁、醤油および粉末唐辛子の混合物を十分に浸み込ませた油揚げに、寿司ご飯を詰めて成ることを特徴とする稲荷寿司。【選択図】        図１
0003111948.tif 000002
【実用新案登録請求の範囲】
【請求項１】
昆布・鰹節・椎茸・日本酒・砂糖・化学調味料などの出し汁、醤油および粉末唐辛子の混合物を十分に浸み込ませた油揚げに、寿司ご飯を詰めて成ることを特徴とする稲荷寿司。
【考案の詳細な説明】
【技術分野】
【０００１】
本考案は稲荷寿司に関する。
【背景技術】
【０００２】
従来の稲荷寿司としては、醤油と砂糖で油揚げを煮込み、これに寿司飯を詰めたものや、香辛料（からし、わさび、ゆずこしょう等）を油揚げに塗ったり、油揚げを浸けたりして、この油揚げに寿司飯を詰めたものがあった。（例えば、特許文献１参照）
【０００３】
しかし、醤油と砂糖で油揚げを煮込んだ稲荷寿司は、やや子供向けの薄味で甘さがあり、傷みやすかった。また、からし、わさび、ゆずこしょう等の香辛料を使ったものは、それらの特性が十分に生かされていない。すなわち、からしはソーセージやおでん、わさびは刺身、ゆずこしょうは野菜サラダには良く合うが、稲荷寿司用の油揚げには不釣り合いである。また、これらの香辛料は油揚げに塗ったり、からしを溶かした汁に油揚げを浸すようになっているが、十分に染み込んでいないため、食感に違和感がある等の問題点があった。
【特許文献１】特開２００２−２０９５３８号公報
【考案の開示】
【考案が解決しようとする課題】
【０００４】
本考案は、上記従来の稲荷寿司の問題点を解決するためになされたもので、ピリッとした辛味の味覚があり、ダイエット・殺菌・腐食防止などに効果がある稲荷寿司を提供することにある。
【課題を解決するための手段】
【０００５】
本考案の稲荷寿司は、昆布・鰹節・椎茸・日本酒・砂糖・化学調味料などの出し汁、醤油および粉末唐辛子の混合物を十分に浸み込ませた油揚げに、寿司ご飯を詰めて成ることを特徴とする。
【考案の効果】
【０００６】
本考案の稲荷寿司は、一般の市場で容易に入手できる食材の唐辛子の持つカプサイシンの殺菌性、防腐食性を発揮することができ、しかも、ピリッと甘辛い大人風味を味わうことができる効果がある。
【考案を実施するための最良の形態】
【０００７】
図１は、本考案の稲荷寿司の食材の一覧を示すもので、１は粉末唐辛子、２は油揚げ、３は醤油、４は昆布・鰹節・椎茸・日本酒・砂糖・化学調味料などの出し汁、５は寿司ご飯である。
【０００８】
まず、上記出し汁４に醤油３と粉末唐辛子２を入れて、よく煮込む。
続いて、粉末唐辛子１が出し汁４や醤油３をよく混ざった状態になったら、油揚げ２をいれて十分に煮ふくめる。出し汁４や粉末唐辛子１が油揚げ２に十分に絡んだ状態を確認したら、火を止めて、常温になるまで冷ます。
次に、冷めた油揚げ２に寿司ご飯５を詰めてピリ辛の稲荷寿司を完成させる。
【０００９】
上記粉末唐辛子１は、市販の七味唐辛子などでもよいが、鷹の爪と称する唐辛子を包丁等で微塵切りして使ってもよい。また、昆布・鰹節・椎茸・日本酒・砂糖・化学調味料などの混合割合は必要に応じて適度に調整する。
【産業上の利用可能性】
【００１０】
醤油と砂糖で油揚げを煮込んで、やや子供向けの薄味で甘さがある一般の稲荷寿司の市場の他に、ピリッと辛くて、ダイエット・殺菌・腐食防止などの効果を期待する新たな需要層の市場にも適用できる。
【図面の簡単な説明】
【００１１】
【図１】本考案の稲荷寿司の食材を示す説明図である。
【符号の説明】
【００１２】
１    粉末唐辛子
２    油揚げ
３    醤油
４    昆布・鰹節・椎茸・日本酒・砂糖・化学調味料などの出し汁
５    寿司ご飯
【図１】
0003111948.tif 000003
(57)【要約】      （修正有）【課題】低コスト化を実現できるデジタルレコーダーの画像出力接続装置を提供する。【解決手段】ケース１０を有し、該ケース１０の内部に複数のレコーダー及びシステムベースのモニタが接続される信号コネクタ１２，１２２が設けられると共に、該信号コネクタと接続される回路板が設けられるデジタルレコーダーの画像出力接続装置であって、前記回路板に電源回路が設けられ、前記ケース１０に夫々該電源回路と接続される複数の電力出力部１３と一つの電源入力部１５が設けられ、該電源入力部１５が変圧器と接続することにより、電力が電力入力部１５、電源回路及び電力出力部１３に介して各レコーダーに提供されることを特徴とする。【選択図】図１
0003111576.tif 000002
【実用新案登録請求の範囲】
【請求項１】
ケースを有し、該ケースの内部に複数のレコーダー及びシステムベースのモニタが接続される信号コネクタが設けられると共に、該信号コネクタと接続される回路板が設けられるデジタルレコーダーの画像出力接続装置であって、
前記回路板に電源回路が設けられ、前記ケースに夫々該電源回路と接続される複数の電力出力部と一つの電源入力部が設けられ、該電源入力部が変圧器と接続することにより、電力が、電力入力部、電源回路、及び電力出力部を介して、各レコーダーに提供されることを特徴とするデジタルレコーダーの画像出力接続装置。
【考案の詳細な説明】
【技術分野】
【０００１】
本考案は、特に、低コスト化を実現できるデジタルレコーダーの画像出力接続装置に関するものである。
【背景技術】
【０００２】
図４に示すように、従来の監視カメラシステムは、異なる位置に設置される複数のレコーダー（カメラ）５０を有し、該レコーダー５０が夫々システムベースに画像を出力することにより、セキュリティーガードマンがシステムベースのモニタ７０から各位置の状況を監視するものである。
又、各レコーダー（カメラ）５０から出力された画像をシステムベースのモニタ７０に伝送するために、システムベースとレコーダー５０との間に画像出力接続装置４０が設けられる。
【考案の開示】
【考案が解決しようとする課題】
【０００３】
しかしながら、従来の画像出力接続装置４０ではレコーダー（カメラ）５０に電力を提供することができないことから、レコーダー５０を電源と接続するために、レコーダー５０の数量に応じて変圧器６０を設けなければならないので、監視カメラシステムのコストが増加してしまう。
【０００４】
そこで、案出されたのが本考案であって、低コスト化を実現できるデジタルレコーダーの画像出力接続装置を提供することを目的としている。
【課題を解決するための手段】
【０００５】
本願の請求項１の考案は、ケースを有し、該ケースの内部に複数のレコーダー及びシステムベースのモニタが接続される信号コネクタが設けられると共に、該信号コネクタと接続される回路板が設けられるデジタルレコーダーの画像出力接続装置であって、
前記回路板に電源回路が設けられ、前記ケースに夫々該電源回路と接続される複数の電力出力部と一つの電源入力部が設けられ、該電源入力部が変圧器と接続することにより、電力が、電力入力部、電源回路、及び電力出力部を介して各レコーダーに提供されることを特徴とするデジタルレコーダーの画像出力接続装置を提供する。
【考案の効果】
【０００６】
本考案は上記の課題を解決するものであり、各レコーダーへ電力を出力できる電力出力部をケースに設けることにより、複数の変圧器を用いずに、低コスト化を実現することができる。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【０００８】
図１は本考案に係るデジタルレコーダーの画像出力接続装置の斜視図であり、図２は本考案に係るデジタルレコーダーの画像出力接続装置とレコーダーと接続する状態を示す図であり、図３は本考案に係るデジタルレコーダーの画像出力接続装置の回路図である。
【０００９】
図１乃至図３に示すように、本考案に係るデジタルレコーダーの画像出力接続装置１０はケース１１を有し、該ケース１１の内部には、複数のレコーダー５０及びシステムベースのモニタ７０が接続される信号コネクタ１２，１２２が設けられると共に、該信号コネクタ１２，１２２と接続される回路板が設けられている。
【００１０】
前記回路板には電源回路１４が設けられていて、前記ケース１１には夫々該電源回路１４と接続される複数個の電力出力部１３と一つの電源入力部１５が設けられており、該電源入力部１５が変圧器８０に接続されていることにより、電力入力部１５、電源回路１４、及び電力出力部１３を介して、電力が各レコーダー５０に提供されるようになるので、複数の変圧器を用いる必要がなく、これにより低コスト化を実現することができる。
【産業上の利用可能性】
【００１１】
本考案は上記の構成を有するので、各レコーダー（カメラ）へ電力を出力することのできる電力出力部をケースに設けることにより、複数の変圧器を用いずにレコーダーから出力された画像をシステムベースのモニタに伝送することができるために、これによりシステム全体の低コスト化を実現することができるものである。
【図面の簡単な説明】
【００１２】
【図１】本考案に係るデジタルレコーダーの画像出力接続装置の実施例を示す全体斜視図である。
【図２】本考案に係るデジタルレコーダーの画像出力接続装置とレコーダーと接続する状態を示す図である。
【図３】本考案に係るデジタルレコーダーの画像出力接続装置の回路図である。
【図４】従来の監視カメラシステムを示す図である。
【符号の説明】
【００１３】
１０        画像出力接続装置
１１        ケース
１２        信号コネクタ
１２２      信号コネクタ
１３        電力出力部
１４        電源回路
１５        電力入力部
４０        画像出力接続装置
５０        レコーダー
６０        変圧器
７０        モニタ
８０        変圧器
【図１】
0003111576.tif 000003
【図２】
0003111576.tif 000004
【図３】
0003111576.tif 000005
【図４】
0003111576.tif 000006
(57)【要約】      （修正有）【課題】特殊なバイザーにより、小雨時・雨上がり時に車両用のウインドーの上部や自動販売機の取出口に設けられ、下方に多発する水滴を簡単な構造により防止して利便性の向上を図る。【解決手段】車両用ウインドーの上部や自動販売機の取出口に設けられたバイザーにおいて、該バイザー本体１の下端にＶ字形状部２を連続して形成し、該形状部２の裏面には、該形状部２の端部２ａに沿って、所定の幅と高さを有する切り欠き部３を連続して穿設すると共に、該切り欠き部３の角部付近には、連続する溝４を形成したことを特徴とする水滴防止型バイザーから構成される。【選択図】図１
0003111571.tif 000002
【実用新案登録請求の範囲】
【請求項１】
車両の用ウインドーの上部や、自動販売機の紙幣挿入口及び商品の取出口に設けられたバイザーにおいて、該バイザー本体（１）の下端に、Ｖ字形状部（２）を連続して形成し、該形状部（２）の接合段差部には、これら形状部（２）の端部（２ａ）に沿って、所定の幅と高さを有する切り欠き部（３）を連続して穿設すると共に、該切り欠き部（３）の角部には、毛細管現象を有する細溝（４）を穿設したことを特徴とする水滴防止型バイザー。
【考案の詳細な説明】
【技術分野】
【０００１】
この考案は、水滴防止型バイザーに関する。
【背景技術】
【０００２】
従来、バイザー（庇）は、例えば、自動車のウィンドーの上部に設けたり、自動販売機の取出口にも設けられる等、種々の箇所に設けられており、雨天時に、降った雨が車内に吹き込み、床やシートを濡らしたり、また、自動販売機の内部に入り込み、商品が濡れたり、汚れたりするのを防止することを目的としたものである。
【０００３】
しかしながら、降雨時には効力を発揮するバイザーも、小雨時・雨上がり時になると、バイザー下方に水滴が発生したり、そのため、バイザーの外側端の縁にガイド状の突起を設けたものがあった。例えば、特許文献１のように。
しかし、突起とバイザーとの間に水滴が溜まり、ドアの開閉時には振動により水滴は落下するものである。また、自動販売機の場合には、バイザー下方に水滴を形成し、取出口に差し込んだ手をその雫が濡らして、これもまた、不快感を与えるものであった。
【特許文献１】特開平１０−８６６６４号後方
【考案の開示】
【考案が解決しようとする課題】
【０００４】
そこでこの考案は、特殊なバイザーを開発することにより、小雨時・雨上がり時にバイザーの下方に多発する水滴を簡単な構造により、水滴発生を防止して利便性の向上を図ることにある。
【課題を解決するための手段】
【０００５】
そこでこの考案は、水滴を防止する手段として、バイザーの下端を、Ｖ字形状部を複数個、連設して設け、バイザーに付着した水滴の滴下をうながし、バイザー下端に水滴を残さないバイザーを開発するものである。
【考案の効果】
【０００６】
この考案によると、降雨時には、バイザー本体（１）に付着した雨垂れ等の水滴は、当然、順次滴下する水滴によりバイザー本体（１）の表面を伝って下方に滴下するが、雨上がりには、各Ｖ字形状部（２）の先端に向けて、それぞれ水滴が集まり落下する。
【０００７】
また、各Ｖ字形状部（２）の先端に残った水滴は、表面張力と水滴との重さとのバランスが崩れることにより落下し、又、少量の残水は、その上部に穿設した溝（４）の毛細管現象により吸い込まれ、水滴を防止することができる。
【０００８】
以上、バイザー本体（１）の水滴を減少させることにより、車のドア開閉時の水滴の飛散が減少でき、又、自動販売機よりの商品取り出しの際の水滴による不快感を払拭できる等極めて有益なる効果を奏するものである。
【考案を実施するための最良の形態】
【０００９】
以下、図面とともに本考案の一実施例を図面に従って説明すると、車両用のウインドーの上部や自動販売機の取出口に設けられたバイザーにおいて、該バイザー本体（１）の下端にＶ字形状部（２）を連続して形成し、該形状部（２）の裏面には、該形状部（２）の端部（２ａ）に沿って、所定の幅と高さを有する切り欠き部（３）を連続して穿設すると共に、該切り欠き部（３）の角部付近には、連続する溝（４）を形成したことを特徴とする水滴防止型バイザーから構成される。
【００１０】
尚、バイザー本体（１）の形状は、図１〜図３に示したが、使用する部位によって、図４に示すような形状もあり、従って、その形状は限定しない。
【図面の簡単な説明】
【００１１】
【図１】この考案の一実施例を示す正面図である。
【図２】この考案の一実施例を示す左拡大側面図である。
【図３】図１中のａ−ａ拡大断面図である。
【図４】この考案の他の実施例を示す正面図である。
【符号の説明】
【００１２】
１  バイザー本体
２  Ｖ字形状部
２ａ  端部
３  切り欠き部
４  溝
【図１】
0003111571.tif 000003
【図２】
0003111571.tif 000004
【図３】
0003111571.tif 000005
【図４】
0003111571.tif 000006
(57)【要約】【課題】  メモ等の小物物品の収納が容易に行なえる収納構造体を提供する。【解決手段】  背面構成体２の前面に、複数段に被収納物の差し入れ隙間３４が並設された前面構成体３が、背面構成体２の前面に当接するようにその両側縁部及び下縁部において固着されて取り付けられて形成されてなる収納構造体。【選択図】  図１
0003111553.tif 000002
【実用新案登録請求の範囲】
【請求項１】
背面構成体の前面に、複数段に被収納物の差し入れ隙間が並設された前面構成体が、前記背面構成体の前面に当接するようにその両側縁部及び下縁部において固着されて取り付けられて形成されてなることを特徴とする収納構造体。
【考案の詳細な説明】
【技術分野】
【０００１】  この考案は、各種小物物品の収納に用いられる収納構造体に関する。
【背景技術】
【０００２】  例えば、台所の壁面、さらには、冷蔵庫扉面には料理レシピやスケジュール等の主婦にとって必要な情報が記されたメモが貼られるが、そのように貼った場合には見栄えが悪く、また、外れる問題がある。そこで、小さなポケットを多数持つ収納体を壁面等に取り付けて用いることも行なわれている。
【考案の開示】
【考案が解決しようとする課題】
【０００３】  しかしながら上記構成の収納体は、ポケットそれぞれの大きさが決まっているので、長さや大きさが種々異なるメモ等をうまく収納できない問題があった。【０００４】  この考案は上記の事情に鑑みて行なったもので、台所等において大きさの異なるメモ等の小物の収納を容易にできるようにすることを目的とする。
【課題を解決するための手段】
【０００５】  この考案では、背面構成体の前面に、複数段に被収納物の差し入れ隙間が並設された前面構成体が、前記背面構成体の前面に当接するようにその両側縁部及び下縁部において固着されて取り付けられて形成されてなることを特徴とする収納構造体を提供する。【０００６】  上記構成の収納構造体によれば、隙間から差し入れ背面構成体と前面構成体との間に挟持させることで巾、長さが異なるメモ等の小物の収納が行なえる。【０００７】  この収納構造体は、壁面等へ取り付ける収納具の他に、携帯ポーチ等適宜の形態として実用化できる。
【考案の効果】
【０００８】  この考案によれば、大きさの異なる小物物品の収納が安定して容易に行なわれる使用に便利な収納構造体が得られるようになり、これにより、台所等におけるメモ等を整頓した状態に収納でき、また、収納機能に優れるポーチ等が得られるようになる。
【考案を実施するための最良の形態】
【０００９】  図１はこの考案の収納構造体の第１の実施形態の収納具の前面図、図２は同縦断面図、図３は同要部拡大端面図ある。【００１０】  収納具１は背面構成体２の前面に前面構成体３が取り付けられて構成されている。背面構成体２は２枚の樹脂シート２１間に発泡体シート２２が内装されて形成され、その上部の前面構成体３に覆われない部分には一対の取り付け用の係止穴２４が設けられ、また、その背面位置には磁着力を持つ取り付け用ベルト２５が付設されている。【００１１】  前面構成体３も２枚の樹脂シート３１間に発泡シート３２が内装されて形成され、水平方向に差し入れ隙間３４が複数本平行に形成されることで複数段の細巾片３６に分離されている。上記後面側の樹脂シート３１としては表面の滑りが良いものを用いている。前面構成体３はその両側縁部及び下縁部において背面構成体２に一体に固着されて取り付けられ、この取り付けられた状態において、背面構成体２、前面構成体３は内部に発泡シート２２、３３を備え若干膨らみ状態となっていることで、両者は互いに弾力的に当接している。【００１２】  次に、上記収納具１の使用について説明する。収納具１は係止穴２４で壁に係止されたり、ベルト２５が冷蔵庫扉面等に貼り付けられて設置使用される。前面構成体３の隙間３４から下方に差し入れることで異なる大きさのメモ用紙４０それぞれが適宜の位置に収納でき、背面構成体２と前面構成体３との面間に弾力的に保持されることでメモ用紙４０のそれぞれは安定保持される。メモ用紙４０のそれぞれはその大きさに応じ、安定し、取り出しやすく、かつ、見えやすいように隙間３４に差し入れられる。【００１３】  この差し入れに際し、まず、前面構成体３の後面側樹脂シート３１として表面滑りが良いものを使用していることでその差し入れが容易に行なえる。また、それぞれの細巾片３６が垂直断面方向において上下位置において細くなることで、隙間３４部分の内側、外側それぞれにスペースＳ１、Ｓ２がそれぞれ形成され、これらスペースＳ１、Ｓ２それぞれが位置することで差し込みがさらに容易に行なわれるようになっている。また、スペースＳ１部分を内側から見れば、隙間３４が凹んで位置するので一つの隙間３４から深く差し入れられたメモ用紙４０が一段下の隙間３４から外側に出るということが回避される。収納具１の下部には、ポールペン５０、マジックペン５１、ハサミ５２等の小物物品も収納できる。【００１４】  図４はこの考案の収納構造体の第２の実施形態の収納ポーチ７の斜視図である。この収納ポーチ７は女性の小物入れ等として用いられる。その基本構成は第１の実施形態の収納具１と同様であるが、このものでは背面構成体２が上方へ延び出すカバー部２６を一体に備え、そのカバー部２６が前側に折り返されることで収納部８が覆われ、その状態において携帯される。また、収納部８の全体にわたって花のデザイン模様２９が付されて意匠性が高められている。カバー部２６は収納部８を覆う状態においてマジックテープ２７が背面構成体２の裏面のマジックテープ２８に止められて固定される。
【図面の簡単な説明】
【図１】  この考案の収納構造体の第１の実施形態である収納具の前面図
【図２】  この考案の収納構造体の第１の実施形態である収納具の断面図
【図３】  この考案の収納構造体の第１の実施形態である収納具の要部拡大端面図
【図４】  この考案の収納構造体の第２の実施形態であるポーチの外観斜視図
【符号の説明】
１    収納具（収納構造体）
２    背面構成体
３    前面構成体
３４  差し入れ隙間
【図１】
0003111553.tif 000003
【図２】
0003111553.tif 000004
【図３】
0003111553.tif 000005
【図４】
0003111553.tif 000006
(57)【要約】【課題】本考案は、予め厨房で調理した汁状の所謂レトルト食品を、調理直後の温度を保ったままイベント会場等に搬入できるレトルト食品保温搬送自動車を提供する。【解決手段】貨物自動車の車両本体（１）の断熱バン型荷台（２）の中に、バッテリーからの電熱用の配線（３）を施し、これに、台車付きの籠コンテナ（４）の段板（５）に内設したホットプレート（６）の導線を結線して、ホットプレート上に載置した調理鍋（７）を電熱加温して目的地まで運送する構造を特徴とした。【選択図】            図１
0003111551.tif 000002
【実用新案登録請求の範囲】
【請求項１】
貨物自動車の車両本体（１）の断熱バン型荷台（２）の中に、バッテリーからの電熱用の配線（３）を施し、これに、台車付きの籠コンテナ（４）の段板（５）に内設したホットプレート（６）の導線を結線して、ホットプレート上に載置した調理鍋（７）を電熱加温して目的地まで運送する構造を特徴としたレトルト食品保温搬送自動車。
【考案の詳細な説明】
【技術分野】
【０００１】  本考案は、予め厨房で調理した汁状の所謂レトルト食品を、調理直後の温度を保ったままイベント会場等に搬入できるレトルト食品保温搬送自動車に関する。
【背景技術】
【０００２】  食料品の鮮度を保ちながら収納して運搬配達する冷凍冷蔵運送車は、従来、盛んに使用されているが、逆に、厨房で調理仕上げた調理料理を、所要の調理温度に保ったまま顧客の指定する場所まで運搬する保温運送自動車は現在提案されていない。【０００３】  従って、厨房で調理仕上げた調理料理を運ぶ場合は、料理が冷めない距離抱けの輸送に限られていた。
【考案の開示】
【考案が解決しようとする課題】
【０００４】  最近、アウトドアで催されている様々なイベント会場に、調理料理を持ち込むことが多くなっているが、調理する側と味わう側の双方で、特に汁物では、調理直後の温度を保ったまま搬入して欲しいと云う要望が高まっている。【０００５】  しかし、生の食品の鮮度を保つための冷凍冷蔵運送車は宅配等に使用されてはいるものの、アウトドアのイベント会場等に、レトルト食品を温蔵して搬入する保温運送車は、現在提案されてはいない。【０００６】  本考案は、調理直後の汁物調理鍋を、保温状態でイベント会場やデバ地下食品売り場に搬送できる保温搬送自動車を提案するものである。
【課題を解決するための手段】
【０００７】  本考案は、貨物自動車の車両本体（１）の断熱バン型荷台（２）の中に、バッテリーからの電熱用の配線（３）を施し、これに、台車付きの籠コンテナ（４）の段板（５）に内設したホットプレート（６）の導線を結線して、ホットプレート上に載置した調理鍋（７）を電熱加温して目的地まで運送する構造を特徴としたものである。
【考案の効果】
【０００８】  本考案は、貨物自動車の車両本体（１）の断熱バン型荷台（２）の中の、台車付きの籠コンテナ（４）の段板（５）に内設したホットプレート（６）上に調理鍋（７）を載置して電熱加温しながら運送するので、名のあるシェフが調理した汁料理等を、調理温度を保ったままイベント会場やデバ地下食品売り場に搬送でき、イベント参加者が本格的なホテル料理等を、野外会場やデバ地下等で味わうことが出来る効果がある。
【考案を実施するための最良の形態】
【０００９】  近年、アウトドアで様々なイベントが催されており、参加者に提供するための調理料理も目玉として企画されることが多いが、客のニーズによっては、名のあるレストランの料理を提供するこも多くなりつつある中で、特に汁物では調理直後の温度を保ったまま客に味わって欲しいと云う厨房側の要望もある。【００１０】  本考案は、車両本体（１）の断熱バン型荷台（２）の中に、バッテリーからの電熱用の配線（３）を施し、これに、台車付きの籠コンテナ（４）の段板（５）に内設したホットプレート（６）の導線を結線して、ホットプレート上に載置した調理鍋（７）を電熱加温して目的地まで運送する構造を特徴としたものであって、調理直後の汁物調理鍋を、例えば５０℃〜６０℃の保温状態で、イベント会場やデバ地下食品売り場に搬送できる上、３時間〜４時間保ちながら、３００ｋｍ〜４００ｋｍの輸送も可能である。【００１１】  籠コンテナ（４）は、台車付きで運送中は、断熱バン型荷台（２）に固定するが、台車によって移動搬送可能であり、荷揚げ荷下ろしが容易で移動も可能であり、調理鍋を載せるホットプレートの設置段も、数段に構成して、様々な大きさの調理鍋又は、様々な形状の容器に対応させるものとし、トラック荷台に載せる籠コンテナ（４）の数によって、搬送量も変えることが出来、例えば、２段の籠コンテナ１８個で３６個の調理鍋を運ぶことが出来る。【００１２】  ホテルやレストランの厨房で調理された一流味の料理は、搬送中にも冷め切ってしまう野外のイベント会場等に搬入することは、味が落ちてしまい、調理したシェフのプライド等もあり、なかなか実現は難しく、又、必ずしも一流料理でなく、別場所の調理場から調理料理を運ぶ場合でも、特に汁物の場合は、客や参加者は、冷め切った料理を味わうことになり、味気ない場合が多い。【００１３】  本考案は、所要の温度に加熱して調理した料理を、その温度を保ったまま客や参加者のテーブルにセット出来るもので、特に汁物の場合は、アツアツの状態で賞味できる効果があり、デバ地下では、調理そのままの試食に応じることも出来る。【００１４】  電熱用の配線（３）には、単品又は複数個の差し込みコンセントを取り付けて置く。電源は、例えば、エンジンに搭載しているバッテリーの２４ボルトか１００ボルトに昇圧して使用するもよく、特別な熱源を必要としないから、省エネルギーで経済的でもある。
【産業上の利用の可能性】
【００１５】  本考案の調理鍋は、必ずしも汁物鍋とは限らず、種類毎の調理品に適応した容器でもよく、飲食時点で暖かい温度を要する調理料理の場合にも保温しながら運搬することが出来る。
【図面の簡単な説明】
【００１６】
【図１】は、本考案品の内部を示した側面図である。
【符号の説明】
【００１７】  １  車両本体
２  断熱バン型荷台
３  配線
４  籠コンテナ
５  段板
６  ホットプレート
７  調理鍋
【図１】
0003111551.tif 000003
(57)【要約】【課題】  従来のお米洗い器は、洗ったお米を容器から炊飯器に移す無駄な作業が発生し、容器に付着したお米を取り込むのが煩雑である。  手作業によるお米洗いは、お米の研ぎ汁を流すとき、お米を流出させないように慎重で細々な作業が必要となる。また、冬場の手作業によるお米洗いは、手が冷たく荒れるため、水に手を触れないでお米洗いをしたい。【解決手段】  炊飯器の釜容器の中で、Ｕ字形の蛇行クランクシャフトとお米拡散プレートを回転、攪拌し、水に手を触れないで素早くお米洗いを行う。  本考案を炊飯器の釜容器に簡単に据え付けたり、取り外しができるようにする。また、市販の大半の炊飯器釜に適用できるようにするため、炊飯器釜の寸法に合わせる構造を備えたお米洗い器とする。【選択図】    図１
0003111558.tif 000002
【実用新案登録請求の範囲】
【請求項１】
Ｕ字形の蛇行したクランクシャフトとお米拡散プレートを炊飯器の釜容器の中で回転し、水の乱流とお米の攪拌を発生させ、お米を素早く満遍なく洗浄できる炊飯器釜据え付け式のお米洗い器。
【請求項２】
お米の流出を防止する網と炊飯器釜の寸法に整合させる構造を備えることを特徴とする請求項１記載のお米洗い器。
【考案の詳細な説明】
【技術分野】
【０００１】  本考案は、水の乱流発生と攪拌による穀物の洗浄に関する。
【背景技術】
【０００２】  Ｕ字形蛇行クランクシャフトの回転により水の乱流が発生する。また、拡散プレートの回転により穀物の攪拌ができる。
【考案の開示】
【考案が解決しようとする課題】
【０００３】  従来のお米洗い器は、洗ったお米を容器から炊飯器に移す無駄な作業が発生し、容器に付着したお米を取り込むのが煩雑である。
冬場の手作業によるお米洗いは、手が冷たく荒れて苦痛である。
【課題を解決するための手段】
【０００４】  Ｕ字形蛇行クランクシャフトとお米拡散プレートを炊飯器の釜容器の中で回転し、お米を洗浄する。お米の研ぎ汁は、お米の流出防止網から排出し、水に手を触れないでお米洗いをする。
【考案を実施するための最良の形態】
【０００５】  本考案は、図１に示すように、炊飯器の釜容器の中に本考案器を挿入し、釜容器の深さに合わせて２のスライド止めネジを締める。【０００６】  図２に示すように、７の容器内径合せ付き網板と８の網板ストッパーを釜容器の内径に合わせて３のシャフト支え梁の左右に組み込み１０の留めネジを締める。【０００７】  釜容器にお米を入れ、上部から水を注入し、図１に示す１のハンドルを回転する。お米の研ぎ汁は、釜容器を傾け図２に示す６の研ぎ汁排水お米流出防止網から排出する。【０００８】  水の注入、ハンドルの回転、研ぎ汁の排出、など一連の作業を繰り返し、お米の研ぎ汁が澄んだらお米洗いを終る。【０００９】  本考案を使用するときは、最初の一回だけ炊飯器の釜容器の寸法に整合させる作業を行う。
【考案の効果】
【００１０】  炊飯器の釜容器の中で素早くお米洗いができる。
お米の研ぎ汁は、お米流出防止網から簡単に排水できるので、水に手を触れないでお米洗いができる。
【図面の簡単な説明】
【００１１】
【図１】  お米を研ぐＵ字形蛇行クランクシャフトを示した側面図である。
【図２】  お米の研ぎ汁を排水するお米流出防止網を示した平面図である。
【符号の説明】
【００１２】  １  ハンドル
２  スライド止めネジ
３  シャフト支え梁
４  Ｕ字形蛇行クランクシャフト
５  お米拡散プレート
６  研ぎ汁排水お米流出防止網
７  容器内径合せ付き網板
８  網板ストッパー
９  容器内径合せ目盛
１０  留めネジ
【図１】
0003111558.tif 000003
【図２】
0003111558.tif 000004
(57)【要約】【課題】    従来、屋根又は屋上に発生する雪庇を切断する作業は人力に頼る部分が大であった。しかし多大な労力と危険が伴う割にはさほど効果は上がっては居なかった。本考案は操作者が地上に居ながらにして、雪庇の成長を確実に阻止できる装置を提供する【解決手段】    屋根又は屋上付近の外壁に上下伸縮支柱を、又適宜な間隔を置いて上下伸縮中間支柱を立設し、それら上下伸縮支柱の上端に吊下用ワイヤーにより支持された電熱線を支柱の伸縮に伴い上下に移動する事に依り、電気エネルギーで雪庇を切断することを特徴とする。【選択図】図１
0003111552.tif 000002
【実用新案登録請求の範囲】
【請求項１】
屋上付近の外壁に設置する上下伸縮支柱の上端に緊結した線状発熱体である電熱線を両端で支持する吊下用ワイヤーにより支持し、上下伸縮支柱と共に上下させる事により電気エネルギーに依る雪庇切断装置。
【考案の詳細な説明】
【技術分野】
【０００１】    本考案は雪庇の切断装置に関するものである。
【背景技術】
【０００２】    作業者が屋根又は屋上に上がり、人力により雪庇を切断する技術がある。【０００３】    屋根又は屋上の笠木の上に垂直三角形の雪庇切り板を設置し降雪後の雪の圧密沈降により雪庇を切り落とす技術がある。【０００４】    ワイヤーカッター又はワイヤーリングを移動させることにより雪庇を切断する技術がある。【０００５】    屋上笠木に融雪装置を設置し電気エネルギーで雪を溶かす技術がある。【０００６】
【特許文献１】  特許公開２００４−２０４６３３
【特許文献２】  特許公開２００２−２０６３５４
【特許文献３】  特許公開平１１−１５９０８８
【考案の開示】
【考案が解決しようとする課題】
【０００７】    人力による作業は多大な労力と危険が伴う割には充分な効果が上がってはいなかった。【０００８】    垂直三角形の雪庇切り板を屋上笠木の上に設置する方法では、降雪後の雪の圧密沈降により雪庇を切断する自然現象を頼りにしている為、何時切れた雪庇が落下するか予測できないという問題がある。【０００９】    ワイヤーによる雪庇切断の技術は北海道などの積雪寒冷地の厳寒期に於いては、ワイヤー及び支柱に着雪する。外気温の低下と共にそれが着氷となりワイヤーの移動による雪庇切断という本来の機能を妨げ、十分な効果が上がっていなかった。又、冬季間以外でも支柱が屋根又は屋上に立設したままとなっている事から、建物の美観上も問題があり、鳥類の衝突及び支柱を切る風の音も騒音となっていた。【００１０】    融雪笠木を設置する技術では、短時間に多量の降雪があった場合、融雪能力が降雪量に追いつかず降雪は融雪笠木の上部を越え雪庇が形成される。その後融雪帯の上部のみ融雪され、笠木上部を越え形成された雪庇の中間部下端に空洞が発生し、本来の目的を達成する事が困難となっていた。
【課題を解決するための手段】    屋上付近の外壁に設置する上下伸縮自在な支柱の上端に緊結した線状発熱体である電熱線を吊下用ワイヤーにより支持し、上下伸縮支柱と共に上下させ電熱線の電気エネルギーにより雪庇を切断するものである。
【考案の効果】
【００１１】    冬期における雪庇発生時のみ通電する方式なのでランニングコストの負担は少なくてすむ。【００１２】    暴風雪時に於いても雪庇が発生した場合は何時でも地上又は室内よりこの装置を操作し雪庇を安全確実に切断し落下させる事が可能である。【００１３】    春から秋にかけてこの装置を使用しない期間に於いては、伸縮自在である利点を生かし外壁に収納する方式の為、鳥類の衝突を未然に防止し支柱及び電熱線が風を切る騒音も問題とならない。【００１４】    随時操作する事が可能で雪庇発生直後にこの装置を作動させる事により、雪質が軟らかく、雪の量も少ないうちに操作者の意のままに雪庇を切断し落下させる事が可能である。【００１５】    中間支持支柱を設置する事により長大スパンの建造物にも対応が可能である。又、出隅部及び入隅部の多い形状の複雑な建造物に於いても充分な効果を発揮することが可能である。
【考案を実施するための最良の形態】
【００１６】    本考案による雪庇切断装置の形態を図１に於いて説明すると、雪庇が発生する風下側の直角方向の外壁面Ｋ及びＬに上下伸縮支柱Ａ及びＣを設置し吊下用ワイヤーＥにより支持された電熱線Ｄを架設する。又、電動モーターＩ及びＪは建築物の小屋裏に設置するものとして、操作盤Ｍは室内の任意の場所に設置するものとする。径間寸法によりＢの設置本数は任意とする。【００１７】    次に詳細な構造を図２に於いて説明する。室内の任意の場所に設置した操作盤ＭのスイッチをＯＮ・ＯＦＦする事により、小屋裏に設置した電動モーターＩ及びＪを作動させ、その回転運動エネルギーを支持金具Ｇ２及びＧ４の内部を通じ上下伸縮支柱Ａ・Ｂ及びＣに伝え上下させる。【００１８】    操作盤Ｍを操作する事により外部から導入された電力を上下伸縮支柱Ａに内包された電線を通じ、線状電熱線Ｄに通電し上下伸縮支柱Ａ・Ｂ及びＣを上下させる事に伴い吊下用ワイヤーＥと共に線状電熱線Ｄによる電気エネルギーで融雪し雪庇を切断する構造となっている。なお電圧は２００ボルト、吊下用ワイヤーの線径は１０ＭＭが望ましい【００１９】    建造物の端部には上下伸縮支柱をそれぞれ立設し、中間に立設する支柱の本数は建造物の寸法に応じて適宜数本立設する。又、吊下用ワイヤー及び電熱線は地域の気象条件に適合した材質及び径を使用する。上下伸縮支柱の可動部分の段数は地域の気象条件及び建造物の形状に適合させ数段設ける。【００２０】    本考案は屋外広告物、電柱、橋梁、トンネル出入口、信号機その他多様な建造物に対しても、十分にその効果を発揮する。
【図面の簡単な説明】
【図１】    本考案の一実施例を示す取付図である。
【図２】    同図の取付詳細図である。
【図３】    同図の断面詳細図である。
【符号の説明】
Ａ  上下伸縮支柱
Ｂ  上下伸縮支柱
Ｃ  上下伸縮支柱
Ｄ  電熱線
Ｅ  吊下用ワイヤー
Ｆ  支持支柱
Ｇ  支持支柱固定金具
Ｈ  屋上面
Ｉ  電動モーター
Ｊ  電動モーター
Ｋ  外壁面
Ｌ  外壁面
Ｍ  操作盤
Ｎ  駆動伝達用ベルト
Ｏ  駆動伝達用歯車
【図１】
0003111552.tif 000003
【図２】
0003111552.tif 000004
【図３】
0003111552.tif 000005
(57)【要約】【課題】小さな書類でも大きな書類でも、出し入れがしやすく書類が落ちにくい取り付け簡単な書類入れポケットを作ること。【解決手段】全体を袋状とした書類入れポケットの前面中央部分をじょうご型に底部近くまでカットし、ポケットの裏面に両面接着テープをつける。【選択図】図１
0003111556.tif 000002
【実用新案登録請求の範囲】
【請求項１】
書類入れポケットの前面中央部分をじょうご型に底近く迄カットすること。
【請求項２】
書類入れポケットの裏側に両面接着テープを取り付け、バインダー等への取り付けを簡単にすること。
【考案の詳細な説明】
【技術分野】
【０００１】本考案は書類入れに利用するポケットの形状に工夫を加えた事で、書類の大きさに関係なく出し入れがしやすくなり、簡単にバインダー等へ取り付けられるように加工したものである。
【背景技術】
【０００２】現在、バインダー等に取り付けてある書類入れポケットは大別して２種類ある。ひとつは図５の形状の、バインダーの表紙を背として上方部より書類を出し入れするポケットか、これを更にポケットの右辺をカットすることで、開口部を大きくして書類を出し入れしやすくした図６の形状のポケットである。
いずれも、バインダーの表紙をポケットの片面とするもので、取り付け専用のポケットではない。
【考案の開示】
【考案が解決しようとする課題】
【０００３】事務作業のなかで、書類等を入れておきたいポケットが、必要と思うことが度々あるが、バインダー類の表紙の裏に書類入れポケットが取り付けられているものは少ないという課題がある。【０００４】取り付けてあるポケットがあったとしても、図５の形状のポケットでは、大きな書類は出し入れしやすいが、小さな書類はポケットの底に落ちてしまい、取り出しにくいという欠点がある。【０００５】小さな書類も大きな書類も出し入れがしやすい図６のポケットは、バインダー使用中に右横方向に移動して、ポケットより落ちやすく書類の右端を痛めるという欠点がある。
本考案はこれらの課題を解決するためになされたものである。
【課題を解決するための手段】
【０００６】書類入りポケットを作る素材を薄くて強く透明感があり、且つすべりの良いポリプロピレン等のシートを使用する。【０００７】全体を袋状のポケットとしポケットの前面にじょうご型の切り取り部分を作る為、ポケット材料シート２よりじょうご型のカット部分３を切り取る。（図２参照）
中央おりたたみ線４を中心に左側に折りたたみ、重なり合う左辺と下辺の接着辺５の２ヶ所を接着する。（図３参照）【０００８】図３で完成した書類入れポケットの裏面に数ヶ所両面接着テープ６を取りつける。（図４参照）
【考案の効果】
【０００９】書類入れポケットの前面中央部分をじょうご型に底部近くまでカットすることにより、小さな書類、名刺等はカットされた下方部より出し入れが容易に出来る。
ポケット底部が浅い袋状となっている為、小さな書類も大きな書類も横移動することがあってもポケットの外に落ちることはない。【００１０】大きな書類、分厚い書類はカット部分の上方を押し広げることにより簡単に入れることができて、且つこのポケットの左右部は袋状となっている為、外に落ちることもなく書類の左右両端を保護する役目も果たしている。【００１１】全体が１個のポケットとなっており、裏面に両面接着テープをつけている為、どんなバインダーにも両面接着テープ６のシールをはがすだけで簡単に取付けできる。【００１２】本考案の書類入れポケットはバインダー、書籍、壁，家具等への取付けが簡単にできる為、広範囲の利用が考えられる。
【図面の簡単な説明】
【００１３】図１    本考案の正面図である。
図２    本考案の作成工程１の平面図である。
図３    本考案の作成工程２の平面図である。
図４    本考案の作成工程３の平面図であり、書類入れポケット本体１の裏面である。
図５    従来型のポケットの平面図である。
図６    従来型の右辺もカットされたポケットの平面図である。
【符号の説明】
【００１４】  １    ポケット本体
２    ポケット材料シート
３    カット部分
４    中央おりたたみ線
５    接着辺
６    両面接着テープ
７    バインダー表紙
【図１】
0003111556.tif 000003
【図２】
0003111556.tif 000004
【図３】
0003111556.tif 000005
【図４】
0003111556.tif 000006
【図５】
0003111556.tif 000007
【図６】
0003111556.tif 000008